(57)【要約】【課題】部品の分散や紛失がなく、携行に嵩張らず、使用する際には簡単に使用形態にできる虫とり網を提供することを課題とする。【解決手段】一面が解放された外筐２と、この外筐内に可及的密に腹合せ状に内嵌自在とされ前記外筐の先端に軸着された内筐３と、この内筐の先端に転回自在に軸支されたネット支持部材４と、このネット支持部材に枢支された４節リンク構造のネット枠５と、このネット枠に開口縁が止着された袋状のネット６と、前記外筐に対し内筐を直状に伸展させて握り柄としたときその状態にロックするロック手段７とを具有する構成としたことにある。【選択図】図１
2008005709.tif 000002
【特許請求の範囲】
【請求項１】
一面が解放された外筐と、この外筐内に可及的密に腹合せ状に内嵌自在とされ前記外筐の先端に軸着された内筐と、この内筐の先端に転回自在に軸支されたネット支持部材と、このネット支持部材に枢支された４節リンク構造のネット枠と、このネット枠に開口縁が止着された袋状のネットと、前記外筐に対し内筐を直状に伸展させて握り柄としたときその状態にロックするロック手段とを具有することを特徴とする虫とり網。
【請求項２】
前記外筐および内筐は細長直方体外形状を有し、その開放面同士が向き合うように嵌合したとき密閉箱形をなし、外筐から内筐を引き起こして伸展させたとき外筐と内筐とが１本の棒状を呈するようになされている請求項１記載の虫とり網。
【請求項３】
前記ロック手段は、前記外筐にスライド自在に取り付けられたストッパ部片を有し、前記内筐の伸展時に前記ストッパ部片を前進させたときその先端が前記内筐の端壁に形成された係合孔内に嵌入して外筐と内筐とが直状に伸展した状態に保持されるように形成されている請求項１または２記載の虫とり網。
【請求項４】
前記ネット枠は、前記ネット支持部材に枢支される２本の基部アームと、これら基部アームの先端に枢着され先端同士が枢着された他の２本の先端アームとで構成され、前記各アームに袋状のネットの開口縁が取着されており、前記先端アーム同士を基部アームに平行するよう折曲させたのち左右２本ずつのアームを接近回動させることにより１本の棒状を呈してこれにネットを巻き付け、前記内筐内に折り返して収納し得るようになされている請求項１〜３のいずれか１項記載の虫とり網。
【請求項５】
前記ネット支持部材に、これに枢支される基部アームに形成された凹部に嵌脱してクリックストップを構成する突部が形成されている請求項４記載の虫とり網。
【請求項６】
前記ネット支持部材の側面に突設された突部と、前記内筐の先端面に形成され前記突部が圧嵌してネット支持部材を固定するための凹部とを備えている請求項１〜５のいずれか１項記載の虫とり網。
【請求項７】
前記内筐の前記外筐との接続端の側面に突設された突部と、前記外筐内に内筐を嵌入させるとき前記突部が圧接する凹所が該外筐の端面に形成されている請求項１〜６のいずれか１項記載の虫とり網。
【請求項８】
雑誌類の付録として添付されている請求項１〜７のいずれか１項記載の虫とり網。
【発明の詳細な説明】
【技術分野】
【０００１】
本発明は虫とり網に係り、特に折り畳み自在な虫とり網に関する。
【背景技術】
【０００２】
虫とり網は元来屋外で使うものであることから大型なものとなり、子供がハイキングやピクニックなどに持参するには嵩張って携行することが難しい。
【０００３】
さりとて組み立て式の構造として携行に便ならしめるようにすると、一つの部品でも紛失すると全体が使用不能になってしまい、これがハイキングやピクニックなどの行った先でのこととなると虫とりをあきらめざるを得ないことになる。
【特許文献１】特開平８−９８６２
【発明の開示】
【発明が解決しようとする課題】
【０００４】
本発明は、折り畳み構造として部品の分散や紛失がなく、旅行などに携行するにも嵩張らず、使用する際には簡単に虫とり網の形態にでき、使用後は再びコンパクトな形態に格納することができる虫とり網を提供することを課題とする。
【課題を解決するための手段】
【０００５】
上記課題を解決するため本発明は、一面が解放された外筐と、この外筐内に可及的密に腹合せ状に内嵌自在とされ前記外筐の先端に軸着された内筐と、この内筐の先端に転回自在に軸支されたネット支持部材と、このネット支持部材に枢支された４節リンク構造のネット枠と、このネット枠に開口縁が止着された袋状のネットと、前記外筐に対し内筐を直状に伸展させて握り柄としたときその状態にロックするロック手段とを具有する構成としたことにある。
【０００６】
前記外筐および内筐は細長直方体外形状に形成し、その開放面同士が向き合うよう（腹合せ状）に嵌合させたとき密閉箱形をなし、外筐から内筐を引き起こして伸展させたとき外筐と内筐とが１本の棒状を呈する構造とすることが好ましい。
【０００７】
前記外筐にストッパ部片をスライド自在に取り付け、前記内筐伸展時に前記ストッパ部片を前進させてその先端を前記内筐の端壁に形成された係合孔に嵌入するようにし、これにより外筐と内筐とが直状に伸展した状態を保持するようにすることが好ましい。
【０００８】
前記ネット枠は、前記ネット支持部材に枢支される２本の基部アームと、これら基部アームの先端に枢支され先端同士が枢着された他の２本の先端アームとで構成し、これら各アームに袋状のネットの開口縁を取り付け、先端アーム同士を基部アームに平行するよう折曲させたのち左右２本ずつのアームを接近回動させることにより１本の棒状を呈するようにし、これにネットを巻き付けて前記内筐内に折り返して収納することができるように構成される。
【０００９】
一方、前記ネット支持部材と前記ネット枠の基部アームとの間、ネット支持部材と内筐との間、および外筐と内筐との間に、虫とり網としての使用形態としたときこれら相互を安定保持させるためのクリックストップ機構を設けることが望ましい。
【発明の効果】
【００１０】
本発明によれば、折り畳んだとき細長直方体形状となってコンパクトな形態とすることができるので、携行に嵩張ることがなく、ハイキングやピクニックなどに手軽に持参することができる。
【００１１】
使用するときは、外筐と内筐およびネット枠を伸展させ、次いでネット枠を広げ、ロック手段を掛ければ、直ちに虫とりや場合によっては魚とりに使用することができる。
【００１２】
また各パーツは相互に分離してしまうことがないので、部品を紛失するようなことがなく、部品紛失による使用不能に陥ることがない。
【００１３】
折り畳んだとき前述のように細長直方体形状のコンパクトな形態となるので、学習雑誌類等の雑誌の付録として、例えば、小学校低学年用の雑誌類の付録として添付して販売するのに最適な虫とり網とすることができるほか、単品の商品として販売することができる。
【発明を実施するための最良の形態】
【００１４】
図１は本発明による虫とり網１を使用形態とした状態を示す斜視図であり、その構成部材としては、虫とり網１として使用するときは握り柄を構成し、不使用時には収納ケースとなる外筐２および内筐３と、ネット支持部材４と、ネット枠５と、ネット６と、外筐２と内筐３とで握り柄を構成するとき外筐２と内筐３とを直状に維持するロック手段７とからなっている。
【００１５】
前記外筐２は、一面が開放された断面コ字状をなし細長直方体外形状を有するもので、その後端は端壁２ａにより閉鎖されている。
【００１６】
前記内筐３は、一面が開放された断面コ字状で細長直方体外形状を有するもので、前記外筐２の先端に軸８により該外筐２の開放面側から腹合せに可及的密に内嵌し得るよう転回自在に連結されており、外筐２に内嵌させたとき密閉状の収納ケースが構成されるようになっている。ここに云う腹合せとは、開放面が向き合うことを指す。
【００１７】
前記ネット支持部材４は、前記内筐３の外筐２とは反対側の端部の側壁３ａ、３ａ間に軸９により転回自在に枢着されるもので、その外端には取付座４ａが突設されていてこの取付座４ａにネット枠５が取り付けられる。
【００１８】
上記ネット枠５は、前記ネット支持部材４の取付座４ａに軸１０により枢支される左右の基部アーム５Ａ、５Ａと、これら基部アー５Ａ、５Ａの先端にピン１１、１１により連結され先端同士がピン１２で連結された２本の先端アーム５Ｂ、５Ｂとで４節リンク構造とされており、これら各アームに袋状のネット６の開口縁が接着等の適宜手段により固定されている。
【００１９】
したがって図１の使用形態から、図２のように先端アーム５Ｂ、５Ｂを基部アーム５Ａ、５Ａに平行するようにピン１１、１１を中心に折曲回動させれば１本の棒状となり、これに前記ネット６を図３、図４のように巻き付けたのち反転させれば、ネット支持部材４が軸９を中心に反転して前記ネット枠５およびネット６を共に内筐３内に折り畳み状に格納することができるようになっている。
【００２０】
前記ロック手段７は、図７にその一例の拡大断面図を示すように、外筐２の前記内筐３の連結端近くの内底面２ｂに矩形板状のストッパ部片１３と操作板１３ａとを継ぐピン１４、１４と、このピン１３ａ、１３ａが通る長孔１５、１５とで所定のストロークにわたり長手方向に進退操作自在に設けられ、このストッパ部片１３を矢印×のように外筺２の先端方向へスライドさせることにより前記内筐３の端壁３ｂに形成された係合孔１６に嵌入するように構成されており、このストッパ部片１３が係合孔１６に嵌入したとき外筐２と内筐３とが屈曲することなく直状に固定され、虫とり網１の握り柄を構成するようになっている。
【００２１】
前記外筐２と内筐３との連結部、内筐３とネット支持部材４との間、ネット枠５の基部アーム５Ａ、５Ａとネット支持部材４との間にはそれぞれ位置決め用のクリックストッパが設けられている。
【００２２】
前記外筐２と内筐３との連結部に設けられるクリックストッパは、図４、図６、図８にみられるように、内筐３の連結端近くの側壁３ａ、３ａの外側面に突部１７、１７が突設され、前記軸８を中心に内筐３を回転させたとき前記突部１７が外筐２の端面２ｃにそって移動し、外筐２の側壁２ｄの上面に至ったとき前記突部１７が嵌入する凹部１８が形成され、前記端面２ｃの下端位置には内筐３を伸展させたとき前記突部１７が圧嵌する凹部１９が形成されていて、この圧嵌により外筐２に対し内筐３の伸展位置が定められ、その伸展状態に保持されるようになっている。
【００２３】
前記ネット支持部材５と内筐３との間に設けられるクリックストッパは、前記外筐２と内筐３との連結部に設けたクリックストッパと同じ構造とされており、ネット支持部材５の側面に突設された突部２０がネット枠５を内筐３から引き起こしてネット支持部材４が転回したとき前記突部２０が内筐３の先端面３ｃにそって移動し、その端面の下端に形成された凹部２１に圧嵌することによりネット枠５の伸展状態を保持するようになっている。
【００２４】
前記ネット枠５のクリックストッパは、図９に該部の拡大図を示すように、ネット支持部材４の該部材４を連結している軸９から所定距離をおいた位置の上面に突設された突部２２と、基部アーム５Ａ、５Ａの前記軸９と突部２２との距離と等しい距離の下面位置に形成された凹部２３とで構成され、基部アーム５Ａ、５Ａを拡開してその凹部２３、２３に突部２２、２２が嵌合したとき左右の基部アーム５Ａ、５Ａが図１のように略９０°に拡開し、これに伴って先端アーム５Ｂ、５Ｂも拡開して全体として略正方形状のネット枠５が出現し、これに取り付けられているネット６も通常の虫とり網と同じように一面が開放された袋状の網となって虫などを捕獲することができるようになる。
【００２５】
上記各構成部材は、人体に無害な合成樹脂で形成することが好ましい。
【００２６】
次に作用について説明する。
【００２７】
図６（Ｂ）に示す格納状態として小学校低学年用雑誌の付録などとして添付して販売することができ、この格納状態としてハイキングやピクニック等に持参するとき嵩張ることなく携行することができる。
【００２８】
上記の格納状態から虫とりに使用するには、図６（Ｂ）の状態から内筐３の端部に手指を掛けて図６（Ａ）のように外筐２から内筐３を引き起こし、次いで図４に示すように内筐２内からネット６と共にネット枠５を引き起こし、そのネット枠５を内筐３に対し直状に伸展させる（図３示）。
【００２９】
このとき内筐３の突部１７は外筐２の凹部１９に圧嵌し、ネット支持部材４の突部２０は内筐３の凹部２１に圧嵌して位置決めされて安定し、次いでロック手段７のストッパ部片１３を前進させて内筐３の係合孔１６に嵌入させることで内筐３が折れ曲ることのない状態に固定される。
【００３０】
こうしたのちネット枠５に巻き付いているネット６をほどき、ネット枠５を順次拡開して図１の使用状態にする。
【００３１】
これにより外筐２と内筐３とで握り柄が構成され、ネット６が袋状に膨大して虫や魚類を獲ることができる。
【００３２】
使用後持ち帰る際には、前記とは逆の手順、すなわち図１−図２−図３−図４−図５−図６（Ａ）−（Ｂ）の順に折り畳むことにより外筐２内にすべてが納まったコンパクトな形態（図６（Ｂ）示）となって携行に便ならしめることができる。
【００３３】
なお、虫とり網１は雑誌類の付録として活用されること限らず、単独の市販品として活用することも可能である。
【図面の簡単な説明】
【００３４】
【図１】本発明による虫とり網を使用状態とした斜視図。
【図２】ネット枠の拡縮状態を示す平面図。
【図３】ネット支持部材にネットを巻き付けた状態の側面図。
【図４】同、ネット枠を内筐内に格納または引き起こし過程を示す側面図。
【図５】ロック手段を示し、（Ａ）は平面図、（Ｂ）は背面図。
【図６】外筐と内筐との関係を示し、（Ａ）は内筐の転回途中の側面図、（Ｂ）は外筐に内筐を格納した状態の側面図。
【図７】図５のロック手段の拡大断面図。
【図８】外筐と内筐との連結部のクリックストッパを示す一部の側面図。
【図９】ネット支持部材とネット枠との間のクリックストッパを示す一部の平面図。
【符号の説明】
【００３５】
１  本発明による虫とり網
２  外筐
３  内筐
４  ネット支持部材
５  ネット枠
６  ネット
７  ロック手帳
１３  スライド部材
１６  係合孔
１７、２０、２２  突部
１９、２１、２３  凹部
【図１】
2008005709.tif 000003
【図２】
2008005709.tif 000004
【図３】
2008005709.tif 000005
【図４】
2008005709.tif 000006
【図５】
2008005709.tif 000007
【図６】
2008005709.tif 000008
【図７】
2008005709.tif 000009
【図８】
2008005709.tif 000010
【図９】
2008005709.tif 000011